(57)【要約】【課題】移動通信システムの基地局装置において、装置負荷の大きさに応じて、ユーザ装置からの接続要求メッセージを選別して破棄することを可能とする技術を提供する。【解決手段】移動通信システムにおいてユーザ装置と通信を行う基地局装置において、前記ユーザ装置から、前記基地局装置との接続を要求する接続要求メッセージを受信し、当該接続要求メッセージの優先度を判定する判定部と、前記基地局装置における処理負荷が予め定めた閾値よりも大きい場合に、前記判定部により非優先と判定された接続要求メッセージを破棄する破棄制御部とを備える。【選択図】図５
2015115828.tif 000002
【特許請求の範囲】
【請求項１】
移動通信システムにおいてユーザ装置と通信を行う基地局装置であって、
前記ユーザ装置から、前記基地局装置との接続を要求する接続要求メッセージを受信し、当該接続要求メッセージの優先度を判定する判定部と、
前記基地局装置における処理負荷が予め定めた閾値よりも大きい場合に、前記判定部により非優先と判定された接続要求メッセージを破棄する破棄制御部と
を備えたことを特徴とする基地局装置。
【請求項２】
前記判定部は、前記接続要求メッセージを運ぶレイヤ２データ内の所定のビットの値に基づいて前記接続要求メッセージの優先度を判定する
ことを特徴とする請求項１に記載の基地局装置。
【請求項３】
前記破棄制御部は、前記処理負荷の値として、破棄せずに受け付けた接続要求メッセージの数をカウントする
ことを特徴とする請求項１又は２に記載の基地局装置。
【請求項４】
前記基地局装置は、レイヤ１及びレイヤ２の処理を行うベースバンド処理部と、レイヤ３以上のレイヤの処理を行う装置制御部とを有し、前記ベースバンド処理部が、前記判定部及び前記破棄制御部を有する
ことを特徴とする請求項１ないし３のうちいずれか１項に記載の基地局装置。
【請求項５】
移動通信システムにおいてユーザ装置と通信を行う基地局装置が実行するメッセージ破棄制御方法であって、
前記ユーザ装置から、前記基地局装置との接続を要求する接続要求メッセージを受信し、当該接続要求メッセージの優先度を判定する判定ステップと、
前記基地局装置における処理負荷が予め定めた閾値よりも大きい場合に、前記判定ステップにより非優先と判定された接続要求メッセージを破棄する破棄制御ステップと
を備えたことを特徴とするメッセージ破棄制御方法。  
【請求項６】
前記判定ステップにおいて、前記基地局装置は、前記接続要求メッセージを運ぶレイヤ２データ内の所定のビットの値に基づいて前記接続要求メッセージの優先度を判定する
ことを特徴とする請求項５に記載のメッセージ破棄制御方法。
【請求項７】
前記破棄制御ステップにおいて、前記基地局装置は、前記処理負荷の値として、破棄せずに受け付けた接続要求メッセージの数をカウントする
ことを特徴とする請求項５又は６に記載のメッセージ破棄制御方法。
【発明の詳細な説明】
【技術分野】
【０００１】
本発明は、移動通信システムにおける基地局装置ｅＮＢにおいて、トラヒックの増大時に、処理負荷を低減させるための技術に関連するものである。
【背景技術】
【０００２】
基地局装置ｅＮＢとユーザ装置ＵＥが無線通信を行う移動通信システムにおいて、災害やイベント等により、例えばトラヒックがバースト的に発生した場合に、基地局装置ｅＮＢの装置能力限界により、呼処理信号が破棄される可能性がある。
【０００３】
接続中のユーザ装置ＵＥの呼処理信号を途中で破棄することは、移動通信のサービスとして望ましくないため、呼処理負荷が装置能力以上となる場合は新規呼の受付を破棄することで、既存呼を守る方式を採用することが望ましい。なお、信号を廃棄することで輻輳を回避する先行技術文献として特許文献１がある。
【先行技術文献】
【特許文献】
【０００４】
【特許文献１】特開２０１３−０３８５７３号公報
【発明の概要】
【発明が解決しようとする課題】
【０００５】
ＬＴＥに準拠した移動通信システムでは、ユーザ装置ＵＥが、発信や着信等により基地局装置ｅＮＢと接続を確立する際に、ランダムアクセスが行われる。図１に、ＬＴＥにおけるランダムアクセス手順の概要を示す。
【０００６】
まず、ユーザ装置ＵＥは、ＰＲＡＣＨ（Ｐｈｙｓｉｃａｌ  Ｒａｎｄｏｍ  Ａｃｃｅｓｓ  Ｃｈａｎｎｅｌ）を使用して、プレアンブル（ｐｒｅａｍｂｌｅ）を送信する（ステップ１）。基地局装置ｅＮＢがプレアンブルを検出すると、その応答であるＲＡＣＨ応答（ＲＡＣＨ  ｒｅｓｐｏｎｓｅ）メッセージを送信する（ステップ２）。ＲＡＣＨ応答メッセージを受信したユーザ装置ＵＥは、ＲＲＣ接続要求（ＲＲＣ  ｃｏｎｎｅｃｔｉｏｎ  ｒｅｑｕｅｓｔ）メッセージを送信する（ステップ３）。基地局装置ｅＮＢは、ＲＲＣ接続要求メッセージを受信後、コネクション確立のためのセル設定情報等を含むＲＲＣ接続セットアップ（ＲＲＣ  ｃｏｎｎｅｃｔｉｏｎ  ｓｅｔｕｐ）メッセージを送信する（ステップ４）。自身のＵＥ−ＩＤがＲＲＣ接続セットアップメッセージに含まれていたユーザ装置ＵＥは、コネクションを確立する。なお、図１はＲＲＣ接続手順までを示している。  
上記の３番目のメッセージであるＲＲＣ接続要求メッセージをＲＡＣＨメッセージ３と呼ぶ。ここで、呼接続のために基地局装置ｅＮＢのリソースが確保されるのはＲＡＣＨメッセージ３を検出した後である。
【０００７】
従って、トラヒック増大時に、基地局装置ｅＮＢの呼処理の処理負荷を低減するために新規呼を破棄する場合には、装置リソース確保直前のＲＡＣＨメッセージ３の破棄を行い、その後の呼処理を行わせないことが望ましい。
【０００８】
ここで、移動通信システムが扱う呼には、通常の通話等に用いられる呼の他に、緊急呼もしくは優先呼がある。しかし、基地局装置ｅＮＢの処理負荷を低減するために、一律にＲＡＣＨメッセージ３の破棄を行ってしまうと、破棄されるべきでない緊急呼／優先呼に係るＲＡＣＨメッセージ３についても、破棄される可能性があるという問題がある。  
本発明は上記の点に鑑みてなされたものであり、移動通信システムの基地局装置において、装置負荷の大きさに応じて、ユーザ装置からの接続要求メッセージを選別して破棄することを可能とする技術を提供することを目的とする。
【課題を解決するための手段】
【０００９】
本発明の実施の形態によれば、移動通信システムにおいてユーザ装置と通信を行う基地局装置であって、
前記ユーザ装置から、前記基地局装置との接続を要求する接続要求メッセージを受信し、当該接続要求メッセージの優先度を判定する判定部と、
前記基地局装置における処理負荷が予め定めた閾値よりも大きい場合に、前記判定部により非優先と判定された接続要求メッセージを破棄する破棄制御部とを備えたことを特徴とする基地局装置が提供される。
【００１０】
また、本発明の実施の形態によれば、移動通信システムにおいてユーザ装置と通信を行う基地局装置が実行するメッセージ破棄制御方法であって、
前記ユーザ装置から、前記基地局装置との接続を要求する接続要求メッセージを受信し、当該接続要求メッセージの優先度を判定する判定ステップと、
前記基地局装置における処理負荷が予め定めた閾値よりも大きい場合に、前記判定ステップにより非優先と判定された接続要求メッセージを破棄する破棄制御ステップとを備えたことを特徴とするメッセージ破棄制御方法が提供される。
【発明の効果】
【００１１】
本発明の実施の形態によれば、移動通信システムの基地局装置において、装置負荷の大きさに応じて、ユーザ装置からの接続要求メッセージを選別して破棄することを可能とする技術が提供される。
【図面の簡単な説明】
【００１２】
【図１】ランダムアクセスの概要を説明するための図である。
【図２】ＲＲＣ接続要求メッセージの例を示す図である。
【図３】ＲＲＣ接続再設定要求メッセージの例を示す図である。
【図４】本発明の実施の形態に係る移動通信システムの構成例である。
【図５】基地局装置ｅＮＢの機能構成図である。
【図６】基地局装置ｅＮＢの機能構成図である。
【図７】メッセージ優先判定処理を示すフローチャートである。
【図８】ＵＬ−ＣＣＣＨ−Ｍｅｓｓａｇｅを示す図である。
【図９】Ｅｓｔａｂｌｉｓｈｍｅｎｔ  Ｃａｕｓｅとビット値との対応例を示す図である。
【図１０】メッセージ破棄判定処理の概要を説明するための図である。
【図１１】メッセージ破棄判定処理の概要を説明するための図である。
【図１２】メッセージ破棄制御処理を示すフローチャートである。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。
【００１４】
本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む広い意味で使用する。
【００１５】
（実施の形態の概要）
本実施の形態では、ＲＲＣ接続手順におけるＲＲＣ接続要求メッセージ（前述したＲＡＣＨメッセージ３）内の情報を解析（デコード）することにより、当該ＲＲＣ接続要求メッセージに係る新規呼が緊急呼／優先呼か否かを判定する。そして、基地局装置ｅＮＢの処理負荷が増大したときには、できるだけ緊急呼／優先呼を保護し、それ以外の呼に係るＲＲＣ接続要求メッセージを破棄することとしている。なお、ＲＲＣ接続が切れたとき等に送信されるＲＲＣ接続再設定要求（ＲＲＣ  ｃｏｎｎｅｃｔｉｏｎ  ｒｅｅｓｔａｂｌｉｓｈｍｅｎｔ  ｒｅｑｕｅｓｔ）メッセージについても、ＲＲＣ接続要求メッセージと同様に、呼接続を要求するメッセージであり、選別した上での破棄の対象とするものである。以下の説明において、「ＲＲＣ接続要求メッセージ」についての説明内容は、基本的に「ＲＲＣ接続再設定要求メッセージ」についても同様である。また、「ＲＲＣ接続要求メッセージ」と「ＲＲＣ接続再設定要求メッセージ」を総称して「接続要求メッセージ」と呼ぶ場合がある。ただし、「接続要求メッセージ」は、「ＲＲＣ接続要求メッセージ」と「ＲＲＣ接続再設定要求メッセージ」以外も含み得る。
【００１６】
ここで、ＲＲＣ接続要求メッセージには緊急呼／優先呼か否かを示す情報以外にも多くの情報を含み、基地局装置ｅＮＢはＲＲＣレイヤ（レイヤ３）のデコードを行って、これらの情報を抽出している。参考として、図２に、ＲＲＣ接続要求メッセージのＡＳＮ．１表記例を示し、図３に、ＲＲＣ接続再設定要求メッセージのＡＳＮ．１表記例を示す。いずれのメッセージもＬＴＥにおいて規定されているものである。
【００１７】
しかし、ＲＲＣ接続要求メッセージを全部デコードして、解析することは基地局装置ｅＮＢのＣＰＵ処理量を多く要する。すなわち、新規呼の破棄判断のために多くの処理量を要することになってしまい、新規呼の破棄が基地局装置ｅＮＢの負荷低減にならないことが考えられる。そこで、本実施の形態では、ＲＲＣ接続要求メッセージを運ぶレイヤ２（例：ＭＡＣレイヤ）データの一部の情報を見ることで緊急呼／優先呼か否かを判別し、ＲＲＣレイヤ（レイヤ３）のデコードを行うことなく緊急呼／優先呼か否かを判別し、破棄判定を行うこととしている。これにより、基地局装置ｅＮＢの処理負荷を多く増加させることなく、緊急呼／優先呼を判別した上でのメッセージ破棄処理を可能としている。以下では、緊急呼／優先呼に係る接続要求メッセージを「優先メッセージ」と呼び、それ以外を「非優先メッセージ」と呼ぶ。
【００１８】
（装置構成例）
図４に、本発明の実施の形態に係る移動通信システムの構成例を示す。図４に示すように、本実施の形態に係る移動通信システムは、セルを形成する基地局装置ｅＮＢと、セルに在圏して基地局装置ｅＮＢと無線通信を行うユーザ装置ＵＥを含む。図４には、基地局装置ｅＮＢとユーザ装置ＵＥが１台ずつ示されているが、これらは代表を示しており、それぞれ複数であってもよい。本実施の形態では、当該移動通信システムは、少なくともＬＴＥに準拠した動作が可能である。すなわち、無線インタフェースプロトコルとしてＰＨＹ、ＭＡＣ、ＲＬＣ、ＰＤＣＰ、ＲＲＣ等を使用し、また、呼接続時には基地局装置ｅＮＢとユーザ装置ＵＥ間でＲＲＣ接続手順等を実行する。
【００１９】
図５に、本実施の形態に係る基地局装置ｅＮＢの機能構成図を示す。図５は、本発明の実施の形態に係る機能のみを示すものであり、基地局装置ｅＮＢは、ＬＴＥに準拠した通信を実現するための図示しない機能も含むものである。
【００２０】
図５に示すように、本実施の形態に係る基地局装置ｅＮＢは、受信部１０、メッセージ優先判定部１１、メッセージ破棄制御部１２、メッセージ処理部１３を備える。各機能部の機能概要は以下のとおりである。
【００２１】
受信部１０は、無線信号をユーザ装置ＵＥから受信し、レイヤ２のデータ（例：ＭＡＣ  ＰＤＵ、それに含まれるヘッダ、ＭＡＣ  ＳＤＵ等）を取得し、メッセージ優先判定部１１に渡す。なお、「渡す」とは、例えば、レイヤ２のデータを基地局装置ｅＮＢが備えるメモリバッファに格納しておき、データをそこから読み出す処理を行う場合を含む。
【００２２】
メッセージ優先判定部１１は、レイヤ２データに含まれる所定のビットの値に基づいて、受信した信号で運ばれたメッセージがＲＲＣ接続要求メッセージであるか否か、また、受信した信号で運ばれたメッセージがＲＲＣ接続要求メッセージである場合に、それが優先メッセージであるか否かを判定する。メッセージ優先判定部１１は、ＲＲＣ接続要求メッセージに対応するレイヤ２データと優先／非優先の判定結果をメッセージ破棄制御部１２に渡し、接続要求メッセージ以外のレイヤ２データは破棄制御対象とせずにメッセージ処理部１３に渡す。
【００２３】
メッセージ破棄制御部１２は、基地局装置ｅＮＢの処理負荷と、優先／非優先の判定結果とに基づいて、ＲＲＣ接続要求メッセージを破棄するか否かを判定する。メッセージ破棄制御部１２は、ＲＲＣ接続要求メッセージを破棄すると判定した場合に、ＲＲＣ接続要求メッセージに対応するレイヤ２データを破棄し、破棄しないと判定した場合は、当該レイヤ２データをメッセージ処理部１３に渡す。メッセージ処理部１３は、メッセージ優先判定部１１で扱ったレイヤより上位のレイヤの処理（メッセージデコード等）を行う。
【００２４】
図６に、本実施の形態に係る基地局装置ｅＮＢの他の機能構成図として、実装例に近い構成図を示す。図６に示す基地局装置ｅＮＢは、無線信号の送受信を行うアンテナ２０、アンテナに接続されるインターフェース部２１、ベースバンド処理部２２、装置制御部２３、コアネットワークと接続されるインターフェース部２４を含む。
【００２５】
ベースバンド処理部２２は、レイヤ１、レイヤ２の処理を行う。すなわち、ベースバンド処理部２２は、物理レイヤ、ＭＡＣレイヤ、ＲＬＣレイヤ、及びＰＤＣＰレイヤの処理を行う。ベースバンド処理部２２は、例えばＤＳＰ（Ｄｉｇｉｔａｌ  Ｓｉｇｎａｌ  Ｐｒｏｃｅｓｓｏｒ）により実現されるが、これに限られるわけではない。装置制御部２３は、ＲＲＣメッセージに基づく呼接続制御や監視制御等のレイヤ３以上の処理を行う。
【００２６】
本実施の形態では、図５に示した機能構成図におけるメッセージ優先判定部１１、及びメッセージ破棄制御部１２は、図６におけるベースバンド処理部２２に含まれることを想定しているが、これに限られるわけではない。メッセージ優先判定部１１、及びメッセージ破棄制御部１２による処理を、図６におけるベースバンド処理部２２で行うことにより、処理負荷の大きな呼接続制御処理を行う装置制御部２３の処理負荷を更に増大させることなくメッセージの破棄判定を行うことができる。
【００２７】
（装置動作例）
以下、本実施の形態に係る基地局装置ｅＮＢが実行するメッセージ破棄に関する処理をより詳細に説明する。以下では、図５に示す基地局装置ｅＮＢの構成に基づいて説明を行うこととする。以下では、優先／非優先の判定をＭＡＣデータの中を参照することにより行うこととしているが、これは例であり、例えば他のレイヤ２データを参照することで判定を行うこととしてもよい。
【００２８】
まず、基地局装置ｅＮＢのメッセージ優先判定部１１により実行されるメッセージ優先判定処理を図７のフローチャートを参照して説明する。
【００２９】
メッセージ優先判定部１１は、受信部１０から取得したＭＡＣデータの各ＭＡＣサブヘッダにおけるＬＣＩＤ（Ｌｏｇｉｃａｌ  ｃｈａｎｎｅｌ  ＩＤ）の値がＣＣＣＨ（共通制御チャネル）を示す値であるかどうかを判定する（ステップ１０１）。ＬＣＩＤは、それが含まれるＭＡＣサブヘッダに関連するＭＡＣ  ＳＤＵが属する論理チャネルを示すＩＤである。
【００３０】
上りのＣＣＣＨはＲＲＣ接続要求メッセージもしくはＲＲＣ接続再設定要求メッセージを送信する際に用いられるものであるため（図８参照）、本実施の形態では、ＬＣＩＤの値がＣＣＣＨを示す値である場合、メッセージ優先判定部１１は、当該ＭＡＣ  ＳＤＵはＲＲＣ接続要求メッセージもしくはＲＲＣ接続再設定要求メッセージに対応すると判定し、図７におけるステップ１０２に進む。ＬＣＩＤの値がＣＣＣＨを示す値でない場合、メッセージ優先判定部１１は、当該ＭＡＣ  ＳＤＵは、本実施形態において破棄判定の対象となるメッセージ以外のメッセージに対応するものと判定し、これをメッセージ処理部１３に渡す（ステップ１０３）。
【００３１】
ステップ１０２において、メッセージ優先判定部１１は、該当のＭＡＣ  ＳＤＵの所定位置のビットを調べ、それが所定値であるかどうかを調べることで、ＭＡＣ  ＳＤＵがＲＲＣ接続要求メッセージ又はＲＲＣ接続再設定要求メッセージのどちらに対応するかを判定する。本実施の形態では、例として、ＭＡＣ  ＳＤＵの先頭から２ビット目の値を調べ、それが０である場合、ＭＡＣ  ＳＤＵはＲＲＣ接続再設定要求メッセージに対応すると判定してステップ１０７に進み、それが１である場合、ＭＡＣ  ＳＤＵはＲＲＣ接続要求メッセージに対応すると判定してステップ１０４に進む。
【００３２】
ステップ１０４において、メッセージ優先判定部１１は、該当のＭＡＣ  ＳＤＵの所定位置のビットを調べ、それが所定値であるかどうかを調べることにより、ＲＲＣ接続要求メッセージが優先かそれ以外（非優先）かを判定する。本実施の形態では、例として、ＭＡＣ  ＳＤＵの先頭から４５ｂｉｔ目〜４７ｂｉｔ目の値に対応するＦｌａｇＣＣＣＨ＃１Ｐｒｉｏｒｉｔｙの設定値を調べる。４５ｂｉｔ目〜４７ｂｉｔ目は、ＲＲＣ接続要求メッセージにおける「Ｅｓｔａｂｌｉｓｈｍｅｎｔ  Ｃａｕｓｅ」に対応し、ＬＴＥでは、図９に示すように値が規定されている。
【００３３】
本実施の形態では、メッセージ優先判定部１１は、ＭＡＣ  ＳＤＵの先頭から４５ｂｉｔ目〜４７ｂｉｔ目の値が緊急もしくは優先に対応する値であれば、ＭＡＣ  ＳＤＵに対応するＲＲＣ接続要求メッセージを優先メッセージであると判定し（ステップ１０５）、それ以外であれば、優先メッセージでない非優先メッセージであると判定する（ステップ１０６）。
【００３４】
ステップ１０７においても上記と同様に、メッセージ優先判定部１１は、該当のＭＡＣ  ＳＤＵの所定位置のビットを調べ、それが所定値であるかどうかを調べることにより、ＲＲＣ接続再設定要求メッセージが優先かそれ以外（非優先）かを判定する。本実施の形態では、例として、該当のＭＡＣ  ＳＤＵにおけるＦｌａｇＣＣＣＨ＃０Ｐｒｉｏｒｉｔｙの設定値を調べ、緊急もしくは優先に対応する値であれば当該ＭＡＣ  ＳＤＵに対応するＲＲＣ接続再設定要求メッセージを優先メッセージであると判定し（ステップ１０８）、それ以外であれば、非優先メッセージであると判定する（ステップ１０９）。
【００３５】
次に、メッセージ破棄制御部１２の処理例を説明する。図１０、図１１は、本実施の形態におけるメッセージ破棄制御部１２が実行するメッセージ破棄制御処理の概要を説明するための図である。
【００３６】
本実施の形態では、基地局装置ｅＮＢは、接続要求メッセージ（ＲＲＣ接続要求メッセージ、もしくはＲＲＣ接続再設定要求メッセージ）を受け付けたときに、接続要求メッセージの数をカウントする（１増加させる）。この数をＣｏｕｎｔＭ３とする。また、非優先メッセージに関する受付判定閾値ＴｈＭ３ｌｏｗ、及び、装置保護のために、全メッセージを破棄する閾値ＴｈＭ３を予め設定する。
【００３７】
本実施の形態では、メッセージ破棄制御部１２が、判定対象のレイヤ２データ（具体的にはＭＡＣ  ＳＤＵ）に係る接続要求メッセージを受付ＯＫである（破棄しない）と判定した場合にＣｏｕｎｔＭ３を１増加させることとするが、接続要求メッセージのカウント方法はこれに限られるわけではない。また、メッセージ破棄制御部１２は、予め定めた時間Ｔ（秒）で満了する周期タイマを備え、ＣｏｕｎｔＭ３はタイマが満了する度（Ｔ秒になる度）にリセットされて０になる。
【００３８】
なお、上記のカウント、閾値設定は、基地局装置ｅＮＢ単位でもよいし、基地局装置ｅＮＢが管理するセル単位でもよい。
【００３９】
図１０に示すように、本実施の形態では、優先メッセージは、ＣｏｕｎｔＭ３≦ＴｈＭ３の場合に受付ＯＫとする。非優先メッセージは、ＣｏｕｎｔＭ３≦ＴｈＭ３ｌｏｗの場合に受付ＯＫとする。ＴｈＭ３ｌｏｗ≦ＣｏｕｎｔＭ３≦ＴｈＭ３である場合は、優先メッセージは受付ＯＫであるが、非優先メッセージは破棄される。
【００４０】
図１１は、ＣｏｕｎｔＭ３の値を時系列で表現した図である。図１１に示すように、周期カウンタが満了する度にＣｏｕｎｔＭ３は０になり、順次増加して、優先呼のみ受け付ける時間区間を経て、全新規呼が受け付けられない状態になる。なお、カウンタの周期は、例えば、基地局装置ｅＮＢが設置されるエリアの新規呼の単位時間あたりの発生数等に基づいて決めればよい。
【００４１】
図１２のフローチャートを参照して、メッセージ破棄制御部１２の動作例を説明する。メッセージ破棄制御部１２は、メッセージ優先判定部１１からＭＡＣ  ＳＤＵ（ＣＣＣＨに対応すると判定されたもの）と優先／非優先判定結果を受け取っている。まず、メッセージ破棄制御部１２は、ＣｏｕｎｔＭ３≦ＴｈＭ３であるか否かを判定する（ステップ２０１）。ＣｏｕｎｔＭ３≦ＴｈＭ３でなければ当該ＭＡＣ  ＳＤＵを破棄する（ステップ２０２）。すなわち、接続要求メッセージを破棄する。ＣｏｕｎｔＭ３≦ＴｈＭ３であればステップ２０３に進む。ステップ２０３において、該当のＭＡＣ  ＳＤＵが優先メッセージに対応するものであれば、メッセージ破棄制御部１２は、ＣｏｕｎｔＭ３に１を加え（ステップ２０４）、ＭＡＣ  ＳＤＵをメッセージ処理部１３に渡す（ステップ２０５）。
【００４２】
ステップ２０３において、ＭＡＣ  ＳＤＵが非優先メッセージに対応するものである場合、ステップ２０６に進む。ステップ２０６において、ＣｏｕｎｔＭ３≦ＴｈＭ３ｌｏｗであるか否かが判定される。ＣｏｕｎｔＭ３≦ＴｈＭ３ｌｏｗでなければ、メッセージ破棄制御部１２は、ＭＡＣ  ＳＤＵを破棄する（ステップ２０７）。ＣｏｕｎｔＭ３≦ＴｈＭ３ｌｏｗであれば、メッセージ破棄制御部１２は、ＣｏｕｎｔＭ３に１を加え（ステップ２０８）、ＭＡＣ  ＳＤＵをメッセージ処理部１３に渡す（ステップ２０９）。
【００４３】
なお、上記の例では、処理負荷を、受け付けしたメッセージ数で判定することとしているが、処理負荷を他の指標で判定してもよい。例えば、図６に示した基地局装置ｅＮＢにおける装置制御部２３が有するＣＰＵの使用率で処理負荷を判定してもよい。
【００４４】
また、本実施の形態では、接続要求メッセージを優先か非優先に分類するが、より多くの優先度の段階を設けてもよい。ただし、より多くの優先度を設ける場合も、例えば、最も高い優先度を「優先」とし、それ以外を「非優先」と見ることができるので、その場合も優先と非優先に分類することに含まれる。すなわち、「非優先」は、意味として低優先等を含むものである。
【００４５】
（実施の形態のまとめ、効果等）
以上説明したように、本実施の形態によれば、移動通信システムにおいてユーザ装置と通信を行う基地局装置であって、前記ユーザ装置から、前記基地局装置との接続を要求する接続要求メッセージを受信し、当該接続要求メッセージの優先度を判定する判定部と、前記基地局装置における処理負荷が予め定めた閾値よりも大きい場合に、前記判定部により非優先と判定された接続要求メッセージを破棄する破棄制御部とを備えた基地局装置が提供される。
【００４６】
この基地局装置により、基地局装置において、装置負荷の大きさに応じて、ユーザ装置からの接続要求メッセージを選別して破棄することが可能となる。なお、上記の構成において、接続要求メッセージを受信するとは、接続要求メッセージを載せた下位レイヤ信号を受信することを含むものである。
【００４７】
前記判定部は、前記接続要求メッセージを運ぶレイヤ２データ内の所定のビットの値に基づいて前記接続要求メッセージの優先度を判定する。
【００４８】
このように、比較的処理負荷の小さいレイヤ２処理段階で優先度を判定することで、処理負荷の高いレイヤ３デコードを実施する前に優先度判定を行うことができ、処理負荷を大きく増大させることなくメッセージ破棄制御を実施することが可能となる。
【００４９】
前記破棄制御部は、前記処理負荷の値として、破棄せずに受け付けた接続要求メッセージの数をカウントする。レイヤ２処理段階での判定で破棄せずに受け付けた接続要求メッセージ（例：ＭＡＣ  ＳＤＵに載せられたメッセージ）は、その後のレイヤ３処理において装置負荷を大きくするので、破棄せずに受け付けた接続要求メッセージの数を処理負荷として用いることで、適切に処理負荷を判断することができる。
【００５０】
前記基地局装置は、レイヤ１及びレイヤ２の処理を行うベースバンド処理部と、レイヤ３以上のレイヤの処理を行う装置制御部とを有し、前記ベースバンド処理部が、前記判定部及び前記破棄制御部を有する。
【００５１】
このような構成としたことで、処理負荷の高いレイヤ３デコードを実施する前に優先度判定及び破棄制御を行うことができ、処理負荷を大きく増大させることなくメッセージ破棄制御を実施することが可能となる。
【００５２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局装置は機能的なブロック図を用いて説明されたが、そのような装置はハードウェアで、ソフトウェアで又はそれらの組み合わせで実現されてもよい。本発明の実施の形態で説明した処理に対応する動作を実行するソフトウェア（基地局装置が有するプロセッサで実行される）は、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００５３】
ＵＥ  ユーザ装置
ｅＮＢ  基地局装置
１０  受信部
１１  メッセージ優先判定部
１２  メッセージ破棄制御部
１３  メッセージ処理部
２０  アンテナ
２１、２４  インターフェース部
２２  ベースバンド処理部
２３  装置制御部
【図１】
2015115828.tif 000003
【図２】
2015115828.tif 000004
【図３】
2015115828.tif 000005
【図４】
2015115828.tif 000006
【図５】
2015115828.tif 000007
【図６】
2015115828.tif 000008
【図７】
2015115828.tif 000009
【図８】
2015115828.tif 000010
【図９】
2015115828.tif 000011
【図１０】
2015115828.tif 000012
【図１１】
2015115828.tif 000013
【図１２】
2015115828.tif 000014